(57)【要約】【課題】データ線として定義されている端子を、一時的もしくは定常的に音声通話のために使用される端子に切替える仕組みを構築し、装置上にスピーカやマイクジャックの実装を不要とし、結果的にコスト削減、小型化を図る。【解決手段】音声通信のための専用の信号端子を持たない、少なくとも３本の信号端子を備えたデータ通信装置１であって、信号端子切替え手段（通信制御部１１）が、少なくとも３本の信号端子のうち、２本を音声通信のための信号端子に適宜切替える。また、音声通信のための専用の信号端子を持たない、少なくとも３本の信号端子を備えたデータ通信装置利用システム２であって、信号端子切替え手段（通信制御部２１）が、少なくとも３本の信号端子のうち、２本を音声通信のための信号端子に適宜切替える。【選択図】    図１
2004153772.tif 000002
【特許請求の範囲】
【請求項１】
音声通信のための専用の信号端子を持たない、少なくとも３本の信号端子を備えたデータ通信装置であって、
前記少なくとも３本の信号端子のうち、少なくとも２本を前記音声通信のための信号端子に切替える信号端子切替え手段
を備えたことを特徴とするデータ通信装置。
【請求項２】
前記信号端子切替え手段は、
接続されるデータ通信装置利用システムからの要求に基づき、前記信号端子のうちの少なくとも１本を用いて自身が音声通信のために信号端子の切替えが可能なデータ通信装置であることを通知する切替え機能属性通知手段と、
前記データ通信装置利用システムからの指示に基づき、前記信号端子のうち少なくとも２本を前記音声通信のための信号端子に切替え制御する切替え制御手段と
を備えたことを特徴とする請求項１に記載のデータ通信装置。
【請求項３】
前記信号端子切替え手段は、
接続されるデータ通信装置利用システムからの指示に基づき前記信号端子のうちの少なくとも１本を用いて、前記信号端子の残りの少なくとも２本を前記音声通信のための信号端子に切替え制御する切替え制御手段
を備えたことを特徴とする請求項１に記載のデータ通信装置。
【請求項４】
前記信号端子切替え手段は、
前記信号端子のうちの少なくとも１本を用い、接続されるデータ通信装置利用システムの制御に従い前記１本の信号端子を伝播する信号により、前記信号端子の残りの少なくとも２本を前記音声通信のための信号端子に固定的に置替える置替手段
を備えたことを特徴とする請求項１に記載のデータ通信装置。
【請求項５】
音声通信のための専用の信号端子を持たない、少なくとも３本の信号端子を備えたデータ通信装置を用い、データ通信または音声通信を行なうデータ通信装置利用システムであって、
前記少なくとも３本の信号端子のうち、少なくとも２本を前記音声通信のための信号端子に切替える信号端子切替え手段
を備えたことを特徴とするデータ通信装置利用システム。
【請求項６】
前記信号端子切替え手段は、
前記データ通信装置から、音声通信のために信号端子を切替え可能なデータ通信装置であるか否かの属性情報を取り込む属性情報取得手段と、
前記データ通信装置が音声通信のために信号端子を切替え可能であったときに、前記少なくとも３本の信号端子のうち少なくとも２本を前記音声通信のための信号端子に切替え制御する切替え制御手段と
を備えたことを特徴とする請求項５に記載のデータ通信装置利用システム。
【請求項７】
前記信号端子切替え手段は、
前記信号端子のうちの少なくとも１本を用い、当該１本を伝播する信号により、前記信号端子の残りの少なくとも２本を前記音声通信のための信号端子に切替え制御する切替え制御手段
を備えたことを特徴とする請求項５に記載のデータ通信装置利用システム。
【請求項８】
前記信号端子切替え手段は、
通信環境に応じ、前記少なくとも３本の信号端子のうち少なくとも２本を前記音声通信のための信号端子にダイナミックに切替える切替え手段
を備えたことを特徴とする請求項５に記載のデータ通信装置利用システム。
【請求項９】
前記信号端子切替え手段は、
音声発呼あるいは音声着信を契機にして、前記音声通信のための信号端子の切替えを行うことを特徴とする請求項１に記載のデータ通信装置。
【請求項１０】
前記信号端子切替え手段は、
音声発呼あるいは音声着信を契機にして、前記音声通信のための信号端子の切替えを行うことを特徴とする請求項５に記載のデータ通信装置利用システム。
【請求項１１】
データ通信利用システムに接続するための信号端子と、
前記信号端子を音声通信のための信号端子に切り替えるスイッチと前記スイッチを切り替えるための切り替え制御部からなる信号端子切替手段と、
前記スイッチに接続され前記データ通信利用システムとの間でデジタル音声信号を入出力するデジタル音声信号制御部と、
前記デジタル音声信号制御部に接続されデジタル音声信号を入出力すると共に前記切り替え制御部を制御する通信制御部とからなるデータ通信装置。
【請求項１２】
前記デジタル音声信号がＰＣＭ信号であり、前記デジタル音声制御部が前記ＰＣＭ信号を入出力するＰＣＭ信号制御部である請求項１１記載のデータ通信装置。
【請求項１３】
データ通信装置に接続するための信号端子と、
前記信号端子を音声通信のための信号端子に切り替えるスイッチと前記スイッチを切り替える切り替え制御部と、
前記スイッチを介して前記データ通信装置と接続されデジタル音声信号を入出力する音声変復調部と、
前記音声変復調部で復号化とアナログ化されたアナログ音声信号を出力する音声出力部と、
入力されたアナログ信号を前記音声変復調部に入力する音声入力部と、
前記音声変復調部に接続されデジタル音声信号を入出力すると共に前記切り替え制御部を制御する通信制御部とからなるデータ通信利用システム。
【請求項１４】
前記音声変復調部がクロックと同期信号とＰＣＭ入力データを入力し、ＰＣＭ出力データを出力する請求項３記載のデータ通信利用システム。
【発明の詳細な説明】
【０００１】
【発明の属する技術分野】
本発明は、データ通信装置及びその利用システムに関する。
【０００２】
【従来の技術】
ＰＨＳ（Ｐｅｒｓｏｎａｌ  Ｈａｎｄｙｐｈｏｎｅ  Ｓｙｓｔｅｍ）データ通信端末は、データ通信の他に音声による通話が可能である。また、ＰＨＳデータ通信端末は、小型化、省電力化が可能であり、そのため、マルチメディアカードやＳＤ（Ｓｅｃｕｒｅ  Ｄｉｇｉｔａｌ）カード等、比較的ピン数の少ないカードを実装することができる。
例えば、９本の信号端子を備えたＳＤカードを例示すれば、少ないピンで高速情報転送を実現するために２本以上のデータ線を使うことが必須となっているが、コストダウンや、高速性が必要ない等の要求仕様によっては、１本のデータ線だけで情報転送することも可能である。その際には、２本以上の空き（遊休）データ端子ができることになる。
【０００３】
上記したＰＨＳデータ通信端末で音声通話を行うには、カード上に実装されたスピーカ及びマイクジャックを用い、ヘッドセットにより行なうのが普通である。
一方、ＰＣ（Ｐｅｒｓｏｎａｌ  Ｃｏｍｐｕｔｅｒ）カードやコンパクトフラッシュカード（登録商標）等、多ピンの標準化されたインターフェースカードでは、スピーカ、マイク端子を独立して設けることが可能であり、その端子を利用してホスト装置となるパソコンのスピーカやマイクを利用することが可能であった。
また、ＰＣカードと情報端末からなり、情報端末のユーザインタフェース機能（操作部や表示部等）とＰＣカードの無線通信機能によりデータ通信を行う移動機システムが知られている（例えば、特許文献１参照）。
【０００４】
【特許文献１】
特開平１０−１６４１７１号公報（第３図、第１図）
【０００５】
【発明が解決しようとする課題】
これに対し、上記したマルチメディアカードやＳＤカード等、ピン数の少ないカードでは、スピーカ、マイク端子が割り付けられていないため、現状ではカード上にスピーカ及びマイク端子を付加する以外に音声通話を行なうことが出来ず、このため、コストアップを回避できない状況になっていた。また、小型化を阻害する要因にもなっていた。
【０００６】
本発明は上記事情に鑑みてなされたものであり、データ線として定義されている端子を、一時的、もしくは定常的に音声通話のために使用される端子に切替える仕組みを構築することにより、装置上にスピーカマイクジャックの実装を不要とし、結果的にコスト削減、小型化をはかった、データ通信装置及びその利用装置を提供することを目的とする。
【０００７】
【課題を解決するための手段】
上記した課題を解決するために本発明は、音声通信のための専用の信号端子を持たない、少なくとも３本の信号端子を備えたデータ通信装置であって、前記少なくとも３本の信号端子のうち、少なくとも２本を前記音声通信のための信号端子に切替える信号端子切替え手段を備えたことを特徴とする。
本発明によれば、信号端子切替え手段が、少なくとも３本の信号端子のうち、２本を音声通信のための信号端子に切替え、音声通信を実現させるため、音声通信のための専用端子を不要とし、結果的に、コストダウン、小型化可能なデータ通信装置を提供することができる。
【０００８】
また、本発明のデータ通信装置において、前記信号端子切替え手段は、接続されるデータ通信装置利用システムからの要求に基づき、前記信号端子のうちの少なくとも１本を用いて自身が音声通信のために信号端子の切替えが可能なデータ通信装置であることを通知する切替え機能属性通知手段と、前記データ通信装置利用システムからの指示に基づき、前記信号端子のうち少なくとも２本を前記音声通信のための信号端子に切替え制御する切替え制御手段とを備えたことを特徴とする。
本発明によれば、切替え機能属性通知手段が、音声通信のために信号端子の切替えが可能なデータ通信装置であることをデータ通信装置利用システムに通知し、切替え制御手段が、データ通信装置利用システムからの指示に基づき信号端子のうち２本を音声通信のための信号端子に切替え制御するため、音声通信のための専用端子を不要としたデータ通信装置を提供することができる。
【０００９】
また、本発明のデータ通信装置において、前記信号端子切替え手段は、接続されるデータ通信利用システムからの指示に基づき前記信号端子のうちの少なくとも１本を用いて、前記信号端子の残りの少なくとも２本を前記音声通信のための信号端子に切替え制御する切替え制御手段を備えたことを特徴とする。
本発明によれば、切替え制御手段が、データ通信利用システムからの指示に基づき信号端子のうちの少なくとも１本を用いて、信号端子の残りの２本を音声通信のための信号端子に切替え制御するため、音声通信のための専用端子を不要としたデータ通信装置を提供することができる。
【００１０】
また、本発明のデータ通信装置において、前記信号端子切替え手段は、前記信号端子のうちの少なくとも１本を用い、接続されるデータ通信装置利用システムの制御に従い前記１本の信号端子を伝播する信号により、前記信号端子の残りの少なくとも２本を前記音声通信のための信号端子に固定的に置替える置替手段を備えたことを特徴とする。
本発明によれば、置替手段が、信号端子のうちの少なくとも１本を用い、データ通信装置利用システムの制御に従いその信号端子を伝播する信号により、残りの２本を音声通信のための信号端子に固定的に置替えるため、必要に応じて通常はデータ線として使用される信号端子を音声通信のための専用端子とするデータ通信装置を提供することができる。
【００１１】
また、本発明のデータ通信装置において、前記信号端子切替え手段は、音声発呼あるいは音声着信を契機にして、前記音声通信のための信号端子の切替えを行うことを特徴とする。
この発明によれば、音声通話時に自動的に信号端子の切替えが実行される。
【００１２】
上記した課題を解決するために本発明は、音声通信のための専用の信号端子を持たない、少なくとも３本の信号端子を備えたデータ通信装置を用い、データ通信または音声通信を行なうデータ通信装置利用システムであって、前記少なくとも３本の信号端子のうち、少なくとも２本を前記音声通信のための信号端子に切替える信号端子切替え手段を備えたことを特徴とする。
本発明によれば、信号端子切替え手段が、少なくとも３本の信号端子のうち、２本を音声通信のための信号端子に切替え、音声通信を実現させるため、音声通信のための専用端子を不要とし、結果的に、コストダウン、小型化可能なデータ通信装置を実装可能なデータ通信装置利用システムを提供することができる。
【００１３】
また、本発明のデータ通信装置利用システムにおいて、前記信号端子切替え手段は、前記データ通信装置から、音声通信のために信号端子を切替え可能なデータ通信装置であるか否かの情報を取り込む属性情報取得手段と、前記データ通信装置が音声通信のために信号端子を切替え可能であったときに、前記少なくとも３本の信号端子のうち少なくとも２本を前記音声通信のための信号端子に切替え制御する切替え制御手段とを備えたことを特徴とする。
本発明によれば、属性情報取得手段が、データ通信装置から音声通信のために信号端子を切替え可能なデータ通信装置であるか否かの情報を取り込み、その内容に従って切替え制御手段が、データ通信のための信号端子のうち２本を音声通信のための信号端子に切替え制御するため、音声通信のための専用端子を不要としたデータ通信装置を実装可能なデータ通信装置利用システムを提供することができる。
【００１４】
また、本発明のデータ通信装置利用システムにおいて、前記信号端子切替え手段は、前記信号端子のうちの少なくとも１本を用い、当該１本を伝播する信号により、前記信号端子の残りの少なくとも２本を前記音声通信のための信号端子に切替え制御する切替え制御手段を備えたことを特徴とする。
本発明によれば、切替え制御手段が、信号端子のうちの少なくとも１本を用いて信号端子の残りの２本を音声通信のための信号端子に切替え制御するため、音声通信のための専用端子を不要としたデータ通信装置を実装可能なデータ通信装置利用システムを提供することができる。
【００１５】
また、本発明のデータ通信装置利用システムにおいて、前記信号端子切替え手段は、通信環境に応じ、前記少なくとも３本の信号端子のうち少なくとも２本を前記音声通信のための信号端子にダイナミックに切替える切替え手段を備えたことを特徴とする。
本発明によれば、信号端子切替え手段が、通信環境に応じて少なくとも３本の信号端子のうち２本を音声通信のための信号端子にダイナミックに切替えることにより、トラフィックの状況に応じてデータ通信装置の信号端子割当て（ピンアサイン）を決定可能なデータ通信装置利用システムを提供することができる。
【００１６】
また、本発明のデータ通信装置利用システムにおいて、前記信号端子切替え手段は、音声発呼あるいは音声着信を契機にして、前記音声通信のための信号端子の切替えを行うことを特徴とする。
本発明はデータ通信利用システムに接続するための信号端子と、前記信号端子を音声通信のための信号端子に切り替えるスイッチと前記スイッチを切り替えるための切り替え制御部からなる信号端子切替手段と、前記スイッチに接続され前記データ通信利用システムとの間でデジタル音声信号を入出力するデジタル音声信号制御部と、前記デジタル音声信号制御部に接続されデジタル音声信号を入出力すると共に前記切り替え制御部を制御する通信制御部とからなるデータ通信装置を構成することを特徴とする。ここで、前記デジタル音声信号がＰＣＭ信号であり、前記デジタル音声制御部を前記ＰＣＭ信号を入出力するＰＣＭ信号制御部とすることも可能である。
本発明は、データ通信装置に接続するための信号端子と、前記信号端子を音声通信のための信号端子に切り替えるスイッチと前記スイッチを切り替える切り替え制御部と、前記スイッチを介して前記データ通信装置と接続されデジタル音声信号を入出力する音声変復調部と、前記音声変復調部で復号化とアナログ化されたアナログ音声信号を出力する音声出力部と、入力されたアナログ信号を前記音声変復調部に入力する音声入力部と、前記音声変復調部に接続されデジタル音声信号を入出力すると共に前記切り替え制御部を制御する通信制御部とからなるデータ通信利用システムとからなる。ここで、前記音声変復調部がクロックと同期信号とＰＣＭ入力データを入力し、ＰＣＭ出力データを出力する音声用のコーデックとすることも可能である。
この発明によれば、音声通話時に自動的に信号端子の切替えが実行される。
【００１７】
【発明の実施の形態】
図１は、本発明におけるデータ通信装置及びその利用システムの一実施形態を示すブロック図である。
図１において、１は、データ通信装置としてのＳＤカード、２はデータ通信装置利用システムとしてのホスト装置であり、両者は、ホスト装置２のスロット４にＳＤカード１のコネクタ３を挿入することにより、電気的、機械的に接続される。
【００１８】
ＳＤカード１は、メモリカードとして機能する他に、入出力をサポートすることができる。ここでは、無線通信のためのデータ通信装置として用いられる。ＳＤカード１は、通信制御部１１を制御中枢とし、無線部１２、情報記憶部１３、スピーカ出力部１４、マイク入力部１５、切替え制御部１６、スイッチ部１７（ｓｗ１’）、１８（ｓｗ２’）、アンテナ１９で構成される。
図８に、本発明実施形態で使用されるＳＤカード１のピン配置が示されている。図８に示されるように、ＳＤカード１は、信号端子として９ピン実装され、動作モード（ＳＤモード／ＳＰＩモード）によりそのピン配置は異なるが、ここでは、コマンド（ＣＭＤ）転送用に１本、データ（ＤＡＴ）転送用にｎ本（データ１〜データｎ）定義されており、それぞれ利用するものとする。
【００１９】
図１において、通信制御部１１はＣＰＵ（図示せず）を内蔵し、同じく内蔵するメモリ（図示せず）に記録された制御プログラムを実行することにより、ホスト装置２とのインタフェースを制御する他に、無線部１２他、各ブロックを制御するもので、その内部構成は図４に機能展開して示されている。詳細は後述する。
無線部１２は、アンテナ１９を介して接続される無線網との間で通信データあるいは音声データの送受信を行なうための変復調を行う。また、情報記憶部１３には、データ通信を行う際に必要となるキャリアの情報や、ユーザ個人情報等が格納されている。
スピーカ出力部１４は、通信制御部１１によるコントロールの下、無線部１２を介して送られてくる音声信号をホスト装置２で再生するためにスイッチ部１７（ｓｗ１’）を介してホスト装置２へ供給し、また、マイク入力部１５は、ホスト装置２が持つマイク２３からスイッチ部１８（ｓｗ２’）を介して送られてくる音声信号を無線部１２経由で相手装置へ送信する機能を持つ。
【００２０】
スイッチ部１７（ｓｗ１’）には、通信制御部１１の信号端子（データ３）とスピーカ出力部１４、ならびにホスト装置２が内蔵するスイッチ２５（ｓｗ１）がコネクタ３を介して接続され、通信制御部１１によるコントロールの下、切替え制御部１６を介して生成出力される切替え信号により、ＳＤカード１においてデータ３の信号端子をデータ通信のための信号端子として、あるいは音声通信のための信号端子として使用するための切替えが行なわれる。また、スイッチ部１８（ｓｗ２’）には、通信制御部１１の信号端子（データｎ）と、マイク入力部１５、ならびにホスト装置２が内蔵するスイッチ２６がコネクタ３を介して接続され、通信制御部１１によるコントロールの下、切替え制御部１６を介して生成出力される切替え信号により、ＳＤカード１内においてデータｎの信号端子をデータ通信のための信号端子として、あるいは音声通信のための信号端子として使用するための切替えが行なわれる。
【００２１】
ホスト装置２は、通信制御部２１を制御中枢とし、スピーカ２２、マイク２３、切替え制御部２４、スイッチ部２５（ｓｗ１）、２６（ｓｗ２）で構成される。
通信制御部２１は、ＣＰＵを内蔵し、同じく内蔵するメモリに記録された制御プログラムを実行することにより、ＳＤカード１とのインタフェースを制御するもので、その内部構成は、図５に機能展開して示されている。詳細は後述する。
また、スピーカ２２、マイク２３は、ホスト装置２においてそれぞれが本来持つ機能の他に、ＳＤカード１を介して利用者により音声通話用の音声入出力手段としても用いられる。
【００２２】
一方、スイッチ部２５（ｓｗ１）には、ＳＤカード１のスイッチ部１７（ｓｗ１’）、および通信制御部２１の信号端子（データ３）とスピーカ２２が接続され、通信制御部２１によるコントロールの下、切替え制御部２４により生成出力される切替え信号により、データ３の信号端子をデータ通信のための信号端子として、あるいは音声通信のための信号端子として使用するための切替えが行なわれる。また、スイッチ部２６（ｓｗ２）には、ＳＤカード１のスイッチ部１８（ｓｗ２’）、および通信制御部２１の信号端子（データｎ）とマイク２３が接続され、通信制御部２１によるコントロールの下、切替え制御部２４により生成出力される切替え信号により、データｎの信号端子をデータ通信のための信号端子として、あるいは音声通信のための信号端子として使用するための切替えが行なわれる。
【００２３】
図１に示す実施形態では、ホスト装置２の通信制御部２１は、コマンド信号端子を介して発せられるコマンドにより、切替え制御部２４を介してスイッチ部２５、２６をスピーカ２２、マイク２３へ切替える処理を行なう他に、コマンドを受信したＳＤカード１は、内蔵する通信制御部１１が、切替え制御部１６を介してスイッチ部１７（ｓｗ１’）、１８（ｓ  ｗ２’）をスピーカ出力部１４、マイク入力部１５へ切替えるための処理を行なう。
ここでは、コマンド信号端子とデータ１、２信号端子は、通常のコマンド、データ伝播用に利用することができ、ＳＤカード１において、スイッチ部１７（ｓｗ１’）、１８（ｓｗ１２’）が切替えられたことで、無線部１２から送られてくる音声信号をホスト装置２がスピーカ２２を介して再生でき、また、ホスト装置２のマイク２３から送られてくる音声信号をＳＤカード１の無線部１２を介して相手へ送信することが可能になる。
【００２４】
図２は、本発明におけるデータ通信装置及びその利用システムの他の実施形態を示すブロック図である。
図１に示す実施形態との差異は、データ２の信号端子がホスト装置２側で電源電圧ＶＤＤにプルアップされており、切替え制御部２４がＧＮＤレベルに切替えることで、スイッチ部２５（ｓｗ１）、２６（ｓｗ２）がそれぞれスピーカ２２、マイク２３側に切替わり、このことにより、通信制御部２１のデータ３とデータｎの信号端子を音声信号端子として使用することにある。
当然、ＳＤカード１においてもスイッチ部１７（ｓｗ１’）、１８（ｓｗ２’）がそれぞれスピーカ出力部１４、マイク入力部１５側に切替わり、このことにより通信制御部１１のデータ３とデータｎの信号端子を音声信号端子として使用することができる。
【００２５】
図３は、本発明におけるデータ通信装置及びその利用システムの更に他の実施形態を示すブロック図である。
図１、図２に示す実施形態との差異は、ホスト装置２が、スイッチ部２５（ｓｗ１）、２６（ｓｗ２）および周辺の回路２４を持たないことにある。すなわち、ＳＤカード１における通信制御部１１のデータ２の信号端子は、コネクタ３を介して接続されるホスト装置２においてＧＮＤレベルに固定されており、このことにより、ＳＤカード１のスイッチ部１７（ｓｗ１’）、１８（ｓｗ２’）が通信制御部１１のデータ３とデータｎの信号端子に固定的に接続され、スイッチ部１７（ｓｗ１’）、１８（ｓｗ２’）がそれぞれスピーカ出力部１４、マイク入力部１５との接続に置替わり、通信制御部１１のデータ３とデータｎの信号端子を音声信号端子として使用することができる。
【００２６】
なお、このとき、通信制御部１１、２１のコマンドとデータ１信号端子は、それぞれ通常のコマンド、データ線として利用可能である。ここでは、ホスト装置２として、スピーカ２２とマイク２３しか持たないアダプタ装置を想定しており、スイッチ部１７（ｓｗ１’）、１８（ｓｗ２’）が切替えられたことで無線部１２から送られてくる音声信号をホスト装置２がスピーカ２２を介して再生でき、また、ホスト装置２のマイク２３から送られてくる音声信号をＳＤカード１の無線部１２を介して相手へ送信することが可能になる。
【００２７】
図４は、図１〜図３に示すＳＤカードにおける通信制御部のうち、中枢となる信号端子切替え部１１０のみ抽出して機能展開して示したブロック図である。
信号端子切替え部１１０は、音声通信のための専用の信号端子を持たない、少なくとも３本の信号端子のうち、２本を音声通信のための信号端子に切替える機能を持ち、切替え機能属性通知部１１１と、切替え制御部Ａ（１１２）、切替え制御部Ｂ（１１３）、置替制御部１１４で構成される。なお、信号端子切替え部１１０は、切替え制御部Ａ（１１２）と切替え制御部Ｂ（１１３）、置替制御部１１４とを組で持つ必要はなく、それぞれ、図１、２、３に示す実施形態に応じて適宜備える。
【００２８】
切替え機能属性通知部１１１は、接続されるデータホスト装置２からコマンド信号端子を介して発せられる要求に基づき、自身が音声通信のために信号端子の切替えが可能なデータ通信装置であることを通知する機能を持ち、切替え制御部Ａ（１１２）は、ホスト装置２からの指示に基づき、信号端子のうちのデータ用に定義された２本を音声通信のための信号端子に切替え制御する機能を持つ。
また、切替え制御部Ｂ（１１３）は、ホスト装置２からの指示に基づきデータ用に定義された信号端子のうちの少なくとも１本を用いて、残りの２本を音声通信のための信号端子に切替え制御する機能を持つ。更に、置替制御部１１４は、信号端子のうちデータ用に定義された少なくとも１本の信号端子を用い、接続されるホスト装置２の制御に従い、その信号端子を伝播する信号により、データ用に定義された残りの２本の信号端子を音声通信のための信号端子に固定的に置替える機能を持つ。
【００２９】
図５は、図１〜図３に示すホスト装置における通信制御部のうち、中枢となる信号端子切替え部２１０のみ抽出して機能展開して示したブロック図である。
信号端子切替え部２１０は、音声通信のための専用の信号端子を持たない、少なくとも３本の信号端子のうち、２本を音声通信のための信号端子に切替える機能を持ち、属性情報取得部２１１と、切替え制御部Ａ（２１２）と、切替え制御部Ｂ（２１３）と、トラフィック検知部２１４と、切替え制御部Ｃ（２１５）で構成される。なお、信号端子切替え部２１０は、切替え制御部Ａ（２１２）と、切替え制御部Ｂ（２１３）と、トラフィック検知部２１４と、切替え制御部Ｃ（２１５）とを組で持つ必要はなく、それぞれ、図１、図２に示す実施形態に応じて適宜備える。
【００３０】
属性情報取得部２１１は、ＳＤカード１から、コマンドにより音声通信のために信号端子を切替え可能なデータ通信装置であるか否かの属性情報を取り込む機能を持ち、切替え制御部Ａ（２１２）は、ＳＤカード２が音声通信のために信号端子を切替え可能であったときに、少なくともデータ用に定義された少なくとも３本の信号端子のうち２本を音声通信のための信号端子に切替え制御する機能を持つ。
また、切替え制御部Ｂ（２１３）は、データ用に定義された信号端子のうちの少なくとも１本を用い、当該１本を伝播する信号により、残りの少なくとも２本を音声通信のための信号端子に切替え制御する機能を持つ。
更に、トラフィック検知部２１４は、あらかじめ定義されたトラフィック量に基づく通信環境を検知して切替え制御部Ｃ（２１５）を起動する機能を持ち、切替え制御部Ｃ（２１５）は、データ用に定義された少なくとも３本の信号端子のうち２本を音声通信のための信号端子にダイナミックに切替える機能を持つ。
【００３１】
図６、図７は、本発明実施形態の動作を説明するために引用した図であり、図１に示す実施形態、図２に示す実施形態のそれぞれ対応したホスト装置とＳＤカードの動作シーケンスが示されている。
以下、図６、図７を参照しながら図１、図２の本発明実施形態の動作について詳細に説明する。
【００３２】
図６において、まず、ホスト装置２は、通信制御部２１のコマンド信号端子を介しＳＤカード１に対して動作モード（ＳＤ／ＳＰＩ）の通知と、ＳＤカード１が音声通信のための信号端子切替え機能を持つデバイスであるかか否かの属性情報を取得するためのコマンド１を発行する（ステップＳ６１）。
これを受信したＳＤカード１は、通信制御部１１がコマンド１を解釈して、コマンド１に対する応答を行う。具体的には、自身は「音声通信のための信号端子切替え機能を持つデバイスである」ことを示す属性情報を、データ１信号端子を用いてホスト装置２に通知する（ステップＳ６２）。
【００３３】
次に、実装されたＳＤカード１が音声通信のための信号端子切替え機能を持つデバイスであることを認識したホスト装置２は、更に、通信制御部２１のコマンド信号端子を介し、ＳＤカード１に対して音声信号端子割付けのためのコマンド２を発行する（ステップＳ６３）。同時に切替え制御部２４を介して内蔵するスイッチ部２５（ｓｗ１）、２６（ｓｗ２）を切替え、データ３とデータｎのための信号端子を音声信号送受信用として利用するための切替え制御を行なう（ステップＳ６４）。
一方、コマンド２を受信したＳＤカード１は、通信制御部１１がそのコマンド２を解釈して、内蔵する切替え制御部１６を介してスイッチ部１７（ｓｗ１’）と１８（ｓｗ２’）を切替え、データ３とデータｎのための信号端子を音声信号送受信用として利用するための切替え制御を行なう（ステップＳ６５）。スイッチ部１７（ｓｗ１’）、１８（ｓｗ２’）が切替えられたことで無線部１２から送られてくる音声信号をホスト装置２がスピーカ２２を介して再生でき、また、ホスト装置２のマイク２３から送られてくる音声信号をＳＤカード１の無線部１２を介して相手へ送信することが可能になる（ステップＳ６６）。
【００３４】
図７において、図６に示す動作シーケンスとの差異は、スイッチの切替えをコマンドによらず、データ用に定義された信号端子を利用することにある。
ここでは、ホスト装置２における通信制御部２１のデータ２のための信号端子が電源電圧ＶＤＤにプルアップされており、通信制御部２１の切替え制御部Ｂ（２１３）が切替え制御部２４をＧＮＤレベルに切替える（ステップＳ７３）ことでスイッチ部２５（ｓｗ１）、２６（ｓｗ２）、そして、ＳＤカード１のスイッチ部１７（ｓｗ１’）、１８（ｓｗ２’）が切替わる（ステップＳ７４、Ｓ７５）。
【００３５】
スイッチ部１７（ｓｗ１’）、１８（ｓｗ２’）が切替えられたことで、無線部１２から送られてくる音声信号をホスト装置２がスピーカ２２を介して再生でき、また、ホスト装置２のマイク２３から送られてくる音声信号をＳＤカード１の無線部１２を介して相手へ送信することが可能になる（ステップＳ７６）。
なお、このとき、ＳＤカード１とホスト装置２における通信制御部１１、２１のコマンドとデータ１信号端子とは、それぞれ通常のコマンド、データ線として利用可能であり、また、コマンド１を発行してＳＤカード１の属性情報を取り込む動作は図６に示す例と同様である。
【００３６】
以上説明のように本発明は、音声通信のための専用の信号端子を持たないデータ通信装置、あるいはデータ通信装置利用システムにおいて、少なくとも３本の信号端子のうち２本を適宜音声通信のための信号端子に切替えることで、データ通信装置にスピーカやマイクジャック等の部品取り付けを不用とし、データ通信装置のコストダウン、小型化をはかったものである。
【００３７】
次に、ＳＤカード１とホスト装置２の間で音声信号をデジタル伝送する実施形態を説明する。図９は該実施形態を示すブロック図である。図９において、ホスト装置２は音声用のコーデック（ｃｏｄｅｃ）３２を備える。また、ＳＤカード１は、該コーデック３２との間で、デジタル音声データであるＰＣＭ（Ｐｕｌｓｅ  Ｃｏｄｅ  Ｍｏｄｕｌａｔｉｏｎ）データを送受するＰＣＭ信号制御部３１を備える。ＰＣＭ信号制御部３１は、コーデック３２へ入力する３つの信号（クロックと同期信号とＰＣＭ入力データ）を出力し、コーデック３２は１つの信号（ＰＣＭ出力データ）をＰＣＭ信号制御部３１へ出力する。これら４つのＰＣＭ用信号（クロック、同期信号、ＰＣＭ入力データ、ＰＣＭ出力データ）は、一般的な音声用コーデックの入出力信号である。
【００３８】
図９の移動機システムでは、図８に示すデータ（ＤＡＴ）転送用の信号線であるデータ０〜データ３（ＤＡＴ０〜３）の４本を用いて、上記４つのＰＣＭ用信号をＳＤカード１とホスト装置２間で伝送する。ＳＤカード１のスイッチ部（ＳＷ）４０〜４３は、切換え制御部１６の指示によりデータ０〜データ３と各ＰＣＭ用信号をそれぞれ切換える。ホスト装置２のＳＷ５０〜５３は、切換え制御部２４の指示によりデータ０〜データ３と各ＰＣＭ用信号をそれぞれ切換える。ＳＤカード１の切換え制御部１６は、通信制御部１１の指示によりＳＷ４０〜４３を制御する。ホスト装置２の切換え制御部２４は、通信制御部２１の指示によりＳＷ５０〜５３を制御する。
【００３９】
音声通話時には、ＳＷ４０〜４３およびＳＷ５０〜５３は、ＰＣＭ信号制御部３１とコーデック３２を接続するように制御される。そして、ＰＣＭ信号制御部３１は、無線部１２により受信された音声通話のＰＣＭデータを通信制御部１１から受け取り、クロック及び同期信号とともにＰＣＭ入力データとして、ＳＷ４０〜４２へそれぞれ出力する。これらクロックと同期信号とＰＣＭ入力データは、ＳＷ４０〜４２及びＳＷ５０〜５２をそれぞれ介してコーデック３２に入力される。コーデック３２は、入力されたＰＣＭ入力データを復号化及びアナログ化し、該アナログ音声信号をスピーカ２２へ出力する。
【００４０】
また、コーデック３２は、マイク２３から入力されたアナログ音声信号を、デジタル化及び符号化し、該ＰＣＭデータをＳＷ５３へ出力する。このＰＣＭ出力データは、ＳＷ５３及びＳＷ４３を介してＰＣＭ信号制御部３１に入力され、さらにＰＣＭ信号制御部３１から通信制御部１１を経由して無線部１２に転送され、音声通話のＰＣＭデータとして送信される。
【００４１】
なお、ＳＤカード１の通信制御部１１とホスト装置２の通信制御部２１は、コマンド（ＣＭＤ）転送用の一本の信号線を介して、ＳＤカードインタフェース機能のコマンドのやり取りを行うことができる。
【００４２】
次に、図１０〜図１３を参照して、図９の移動機システムにおける音声通話開始時の動作を説明する。図１０〜図１３は、図９の移動機システムにおける第１〜４の実施例の音声通話開始時の処理の流れを示すシーケンスチャートである。
図１０は音声発呼時の一実施例を示している。図１０において、利用者が音声通話するために発呼操作を行うと（ステップＳ１０１）、ホスト装置２は音声発呼コマンドを発行する（ステップＳ１０２）。ＳＤカード１はこの音声発呼コマンドを受信すると、ＳＷ４０〜４３を通信制御部１１側からＰＣＭ信号制御部３１側へ切換え（ステップＳ１０３）、該音声発呼コマンドに対する応答を発行する（ステップＳ１０４）。ホスト装置２は、この応答を受信すると、ＳＷ５０〜５３を通信制御部２１側からコーデック３２側へ切換える（ステップＳ１０５）。これにより、ＰＣＭ信号制御部３１とコーデック３２との間でＰＣＭデータが送受可能となる。
【００４３】
次いで、ＳＤカード１が発呼処理を実行し、これにより音声通話が開始される（ステップＳ１０６）。音声通話中において、ＳＤカード１側の音声送受信（ステップＳ１０７）によるＰＣＭデータ、及びホスト装置２側の音声送受信（ステップＳ１０８）によるＰＣＭデータが、ＳＤカード１とホスト装置２の間で相互に送受される。また、ホスト装置２は、ＳＤカード１の状態（通信切断情報等）を適宜参照する（ステップＳ１０９）。
【００４４】
次に、図１１は音声発呼時の他の実施例を示している。図１１において、利用者が音声通話するために発呼操作を行うと（ステップＳ１０１）、ホスト装置２は信号端子切換コマンドを発行する（ステップＳ１２１）。ＳＤカード１はこの信号端子切換コマンドを受信すると、ＳＷ４０〜４３を通信制御部１１側からＰＣＭ信号制御部３１側へ切換え（ステップＳ１２２）、該信号端子切換コマンドに対する応答を発行する（ステップＳ１２３）。ホスト装置２は、この応答を受信すると、ＳＷ５０〜５３を通信制御部２１側からコーデック３２側へ切換える（ステップＳ１２４）。これにより、ＰＣＭ信号制御部３１とコーデック３２との間でＰＣＭデータが送受可能となる。
【００４５】
次いで、ホスト装置２は音声発呼コマンドを発行する（ステップＳ１２５）。ＳＤカード１はこの音声発呼コマンドを受信すると、発呼処理を実行し、これにより上記図１０の実施例と同様にして音声通話が行われる（ステップＳ１０６〜１０８）。また、図１０の実施例と同様にホスト装置２は、ＳＤカード１の状態（通信切断情報等）を適宜参照する（図示せず）。この図１１の実施例によれば、ＳＤカード１とホスト装置２の間でＰＣＭデータの伝送経路が確保されてから、発呼処理を行うことができる。
【００４６】
次に、図１２は音声着信時の一実施例を示している。図１２において、ＳＤカード１は、音声着信があると（ステップＳ２０１）、音声着信ステータスをホスト装置２からの状態参照時に返答し（ステップＳ２０２）、ＳＷ４０〜４３を通信制御部１１側からＰＣＭ信号制御部３１側へ切換える（ステップＳ２０３）。ホスト装置２は、音声着信ステータスを受信すると、ＳＷ５０〜５３を通信制御部２１側からコーデック３２側へ切換える（ステップＳ２０４）。これにより、ＰＣＭ信号制御部３１とコーデック３２との間でＰＣＭデータが送受可能となり、音声通話が行われる（ステップＳ２０５、Ｓ２０６）。また、ホスト装置２は、ＳＤカード１の状態（通信切断情報等）を適宜参照する（図示せず）。
【００４７】
次に、図１３は音声着信時の他の実施例を示している。図１３において、ＳＤカード１は、音声着信があると（ステップＳ２０１）、音声着信ステータスをホスト装置２からの状態参照時に返答する（ステップＳ２０２）。ホスト装置２は、音声着信ステータスを受信すると、利用者の着信応答操作により音声着信コマンドを発行する（ステップＳ２１０）。ＳＤカード１はこの音声着信コマンドを受信すると、ＳＷ４０〜４３を通信制御部１１側からＰＣＭ信号制御部３１側へ切換え（ステップＳ２１１）、該音声着信コマンドに対する応答を発行する（ステップＳ２１２）。ホスト装置２は、この応答を受信すると、ＳＷ５０〜５３を通信制御部２１側からコーデック３２側へ切換える（ステップＳ２１３）。これにより、ＰＣＭ信号制御部３１とコーデック３２との間でＰＣＭデータが送受可能となり、音声通話が行われる（ステップＳ２０５、Ｓ２０６）。また、ホスト装置２は、ＳＤカード１の状態（通信切断情報等）を適宜参照する（図示せず）。この図１３の実施例によれば、利用者は着信を拒否することができる。
【００４８】
なお、上述した図１０〜図１３の実施例では、音声発呼あるいは音声着信を契機にしてＳＷ４０〜４３及びＳＷ５０〜５３を切換え、ＰＣＭデータ伝送が可能となるようにしたが、ホスト装置２にＳＤカード１を装着したことを検出して、ＳＷ４０〜４３及びＳＷ５０〜５３をＰＣＭデータ伝送が可能となるように切換えてもよい。このようにすれば、携帯電話専用の移動機システムなど、音声通話機能がメインの移動機システムにおいて有効となる。
【００４９】
上述した図９に示す実施形態によれば、データ通信装置（ＳＤカード１）とデータ通信装置利用システム（ホスト装置２）との間で音声信号をデジタル伝送するので、データ通信装置（ＳＤカード１）にアナログ音声信号のデジタル化回路（コーデック３２）を備える必要がない。これにより、データ通信装置（ＳＤカード１）のコストダウン、小型化を図ることが可能となる。
【００５０】
なお、上記実施形態では、データ通信装置としてＳＤカードのみ例示したが、他に、マルチメディアカード等ビン数の少ないデータ通信装置に利用可能である。
【００５１】
また、図４、図５に示す、信号端子切替え部１１０を構成する切替え機能属性通知部１１１、切替え制御部Ａ（１１２）、Ｂ（１１３）、置替制御部１１４、そして、ホスト装置２の信号端子切替え部２１０を構成する属性情報取得部２１１、切替え制御部Ａ（２１２）、Ｂ（２１３）、Ｃ（２１５）、トラフィック検知部２１４のそれぞれで実行される手順、または、図１０〜図１３に示す各ステップを実現するためのプログラムをコンピュータ読み取り可能な記録媒体に記録し、この記録媒体に記録されたプログラムをコンピュータシステムに読み込ませ、実行することにより、本発明のデータ通信装置及びその利用装置が実現されるものとする。ここでいうコンピュータシステムとは、ＯＳや周辺機器等のハードウアを含むものである。
【００５２】
更に、「コンピュータシステム」は、ＷＷＷシステムを利用している場合であれば、ホームページ提供環境（あるいは表示環境）も含むものとする。
また、「コンピュータ読取り可能な記録媒体」とは、ＲＯＭの他に、フレキシブルディスク、光磁気ディスク、ＣＤ−ＲＯＭ等の可搬媒体、コンピュータシステムに内蔵されるハードディスク等の記憶装置のことをいう。さらに「コンピュータ読取り可能な記録媒体」とは、インターネット等のネットワークや電話回線等の通信回線を介してプログラムが送信された場合のシステムやクライアントとなるコンピュータシステム内部の揮発性メモリ（ＲＡＭ）のように、一定時間プログラムを保持しているものも含むものとする。
【００５３】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【００５４】
以上、この発明の実施形態について図面を参照して詳述してきたが、具体的な構成はこの実施形態に限られるものではなく、この発明の要旨を逸脱しない範囲の設計等も含まれる。
【００５５】
【発明の効果】
以上説明のように本発明によれば、データ線として定義されている端子を、一時的もしくは定常的に音声通話のために使用される端子に切替える仕組みを構築することにより、カード上にスピーカやマイクジャックの実装を不要とし、結果的にコスト削減、小型化をはかった、データ通信装置及びその利用装置を提供することができる。
また、データ通信利用装置がデータ通信装置の信号端子の割付けを通信環境に応じてダイナミックに切替えることにより、データ通信装置の利用者に利便性を提供することも可能である。
また、音声発呼あるいは音声着信を契機にして音声通信のための信号端子の切替えを行うことにより、音声通話時に自動的に音声通信用の信号端子接続構成にすることができる。
【図面の簡単な説明】
【図１】本発明におけるデータ通信装置及びその利用システムの一実施形態を示すブロック図である。
【図２】本発明におけるデータ通信装置及びその利用システムの他の実施形態を示すブロック図である。
【図３】本発明におけるデータ通信装置及びその利用システムの更に他の実施形態を示すブロック図である。
【図４】図１に示すＳＤカードにおける通信制御部の内部構成を機能展開して示したブロック図である。
【図５】図１に示すホスト装置における通信制御部の内部構成を機能展開して示したブロック図である。
【図６】本発明実施形態の動作を説明するために引用した図であり、図１に示す実施形態におけるホスト装置とＳＤカードの動作シーケンス図である。
【図７】本発明実施形態の動作を説明するために引用した図であり、図２に示す実施形態におけるホスト装置とＳＤカードの動作シーケンス図である。
【図８】本発明実施形態において使用されるＳＤカードのピン配置を説明するために引用した図である。
【図９】本発明におけるデータ通信装置及びその利用システムの更に他の実施形態を示すブロック図である。
【図１０】図９の移動機システムにおける第１の実施例の音声通話開始時の処理の流れを示すシーケンスチャートである。
【図１１】図９の移動機システムにおける第２の実施例の音声通話開始時の処理の流れを示すシーケンスチャートである。
【図１２】図９の移動機システムにおける第３の実施例の音声通話開始時の処理の流れを示すシーケンスチャートである。
【図１３】図９の移動機システムにおける第４の実施例の音声通話開始時の処理の流れを示すシーケンスチャートである。
【符号の説明】
１…ＳＤカード（データ通信装置）
２…ホスト装置（データ通信装置利用システム）
３…コネクタ
４…スロット
１１…通信制御部
１２…無線部
１３…情報記憶部
１４…スピーカ出力部
１５…マイク入力部
１６…切替え制御部
１７、１８…スイッチ部
１９…アンテナ、２１…通信制御部
２２…スピーカ
２３…マイク
２４…切替え制御部
２５、２６…スイッチ部
３１…ＰＣＭ信号制御部
３２…コーデック
４０〜４３…スイッチ部
５０〜５３…スイッチ部
１１０…信号端子切替え部
１１１…切替え機能属性通知部
１１２…切替え制御部Ａ
１１３…切替え制御部Ｂ
１１４…置替制御部
２１０…信号端子切替え部
２１１…属性情報取得部
２１２…切替え制御部Ａ
２１３…切替え制御部Ｂ
２１４…トラフィック検知部
２１５…切替え制御部Ｃ
【図１】
2004153772.tif 000003
【図２】
2004153772.tif 000004
【図３】
2004153772.tif 000005
【図４】
2004153772.tif 000006
【図５】
2004153772.tif 000007
【図６】
2004153772.tif 000008
【図７】
2004153772.tif 000009
【図８】
2004153772.tif 000010
【図９】
2004153772.tif 000011
【図１０】
2004153772.tif 000012
【図１１】
2004153772.tif 000013
【図１２】
2004153772.tif 000014
【図１３】
2004153772.tif 000015